(57)【要約】【課題】加工が容易で、パイプ式衣類掛け等から物掛けパイプを手間なく簡単に取り外すことができるパイプジョイント金具を提供する。【解決手段】パイプジョイント金具Ｊは、円周方向の両側縁にねじ締結用リブ１６ｂを設けた断面半円状のパイプ挟持部１６と、パイプ挟持部の外周凸面から直交する向きに伸びる断面半円状のパイプ受け部１７を有した継手本体１５と、円周方向両側縁にパイプ挟持部のねじ締結用リブと対応するねじ締結用リブ２０ａを設け、パイプ挟持部とで支柱用パイプ１０を挟んでから、互いのねじ締結用リブにおいて止めねじ１８で締め緩め自在に螺着するパイプ挟持部と対をなした断面半円状のパイプ押え２０と、パイプ受け部に物掛けパイプ１１の端部を嵌合させてから、パイプ受け部に凹凸の係り合いで係脱自在に冠着して物掛けパイプの端部を支柱用パイプに連結する、パイプ受け部と対をなす断面半円状のパイプキャップ２５とを備える。【選択図】          図１
0003139780.tif 000002
【実用新案登録請求の範囲】
【請求項１】
間隔をあけて立設した一対の支柱用パイプに物掛けパイプの両端を連結して該物掛けパイプを前記支柱用パイプ間に横架するパイプジョイント金具であって、
パイプを縦に２つ割りした一方の管部側で、その両側縁に一対のねじ締結用リブを設けたパイプ挟持部と、該パイプ挟持部の外周凸面から直交する向きに伸びてパイプを横に２つ割りした一方の管部側のパイプ受け部と、を有する継手本体と、
前記パイプを縦に２つ割りした他方の側の管片で、その両側縁に、前記パイプ挟持部のねじ締結用リブと対応する一対のねじ締結用リブを設けて前記パイプ挟持部と対をなし、該パイプ挟持部とで前記支柱用パイプを挟んで、互いの前記ねじ締結用リブにおいて止めねじで締め緩め自在に螺着するパイプ押えと、
前記パイプを横に２つ割りした他方の側の管片で、前記パイプ受け部と対をなし、該パイプ受け部に前記物掛けパイプの端部を嵌合させてから、前記パイプ受け部に凹凸の係り合いで係脱自在に冠着して前記物掛けパイプの端部を前記支柱用パイプに連結するパイプキャップと、
を備えてなることを特徴とする、パイプジョイント金具。
【請求項２】
前記継手本体の前記パイプ挟持部および前記パイプ押えの内周凹面に、それぞれ弾性を有した滑り止めパットを貼着してなることを特徴とする、請求項１に記載のパイプジョイント金具。
【請求項３】
前記パイプ押えと前記継手本体の前記パイプ挟持部のいずれか一方又は双方のねじ締結用リブに、前記止めねじを螺合するナットの嵌め込み穴を凹設し、該嵌め込み穴を、前記ナットに合わせて、前記止めねじと共回りしない回り止め穴形状としてなることを特徴とする、請求項１又は２に記載のパイプジョイント金具。
【考案の詳細な説明】
【技術分野】
【０００１】
本考案は、衣料品店や一般住宅やオフィス等の室内において、間隔をあけて立設した支柱用パイプに衣服等の物掛けパイプの両端を連結して該物掛けパイプを支柱用パイプ間に横架するのに好適なパイプジョイント金具に関する。
【背景技術】
【０００２】
従来、例えば衣料品店等に備えたパイプ式衣類掛けの中には、店内の空間を有効に利用すべく、図８に示すように、左右に所定間隔をあけて床１と天井２間に支柱用パイプ３を立設し、支柱用パイプ３に左右のパイプジョイント金具４で物掛けパイプ５の両端を連結して物掛けパイプ５を支柱用パイプ３間に所望の架設高さ位置に調整可能に横架し、この物掛けパイプ５にハンガー６を掛けて衣服７等を吊り下げる構造にしたものがある。
【０００３】
そのため、従来のパイプジョイント金具４は、例えばねじ穴をあけた縦パイプ部８ａと横向きのパイプ受け部８ｂからなるＴ型パイプの継手本体８を備え、縦パイプ部８ａに支柱用パイプ３を通して嵌挿する一方、パイプ受け部８ｂに物掛けパイプ５の端部を嵌合し、左右の継手本体８をスライド移動して所望架設高さに物掛けパイプ５を位置決めしてから、ジョイントボルト９を縦パイプ部８ａの前記ねじ穴に捩じ込んで継手本体８を支柱用パイプ３に締結する構造になっている。
【考案の開示】
【考案が解決しようとする課題】
【０００４】
ところが、従来のパイプジョイント金具４には、物掛けパイプ５の架設高さ調整のために、縦パイプ部８ａにわざわざジョイントボルト９のねじ穴を螺刻する加工が必要であるため、それだけ継手本体８の加工に手間と時間がかかり面倒であるという課題があった。しかも、従来のパイプジョイント金具４では、例えばパイプ式衣類掛けから、必要に応じ、物掛けパイプ５を取り外すには、ジョイントボルト９の捩じ込みを緩めてから、片方の支柱用パイプ３をわざわざ縦パイプ部８ａから引き抜かなければならず、それだけ物掛けパイプ５の取り外し作業にも手間がかかり面倒であるという課題があった。
【０００５】
そこで、本考案の目的は、加工が容易で、パイプ式衣類掛け等から物掛けパイプを手間なく簡単に取り外すことができるパイプジョイント金具を提供することにある。
【課題を解決するための手段】
【０００６】
そのため、請求項１に記載の考案は、たとえば以下に示す図示実施の形態のとおり、間隔をあけて立設した一対の支柱用パイプ１０に物掛けパイプ１１の両端を連結して該物掛けパイプ１１を前記支柱用パイプ１０間に横架するパイプジョイント金具Ｊであって、パイプを縦に２つ割りした一方の管部側で、その両側縁に一対のねじ締結用リブ１６ｂを設けたパイプ挟持部１６と、該パイプ挟持部１６の外周凸面１６ａから直交する向きに伸びてパイプを横に２つ割りした一方の管部側のパイプ受け部１７と、を有する継手本体１５と、前記パイプを縦に２つ割りした他方の側の管片で、その両側縁に、前記パイプ挟持部１６のねじ締結用リブ１６ｂと対応する一対のねじ締結用リブ２０ａを設けて前記パイプ挟持部１６と対をなし、該パイプ挟持部１６とで前記支柱用パイプ１０を挟んで、互いの前記ねじ締結用リブ１６ｂ・２０ａにおいて止めねじ１８で締め緩め自在に螺着するパイプ押え２０と、前記パイプを横に２つ割りした他方の側の管片で、前記パイプ受け部１７と対をなし、該パイプ受け部１７に前記物掛けパイプ１１の端部を嵌合させてから、前記パイプ受け部１７に係合凸部１７ｂと係合溝２５ｂのような凹凸の係り合いで係脱自在に冠着して前記物掛けパイプ１１の端部を前記支柱用パイプ１０に連結するパイプキャップ２５と、を備えてなることを特徴とする。
【０００７】
請求項２に記載の考案は、請求項１に記載のパイプジョイント金具Ｊにおいて、たとえば以下に示す図示実施の形態のとおり、前記継手本体１５の前記パイプ挟持部１６および前記パイプ押え２０の内周凹面１６ｅ・２０ｃに、それぞれ弾性を有した滑り止めパット３０・３１を貼着してなることを特徴とする。
【０００８】
請求項３に記載の考案は、請求項１又は２に記載のパイプジョイント金具Ｊにおいて、たとえば以下に示す図示実施の形態のとおり、前記パイプ押え１７と前記継手本体１５の前記パイプ挟持部１６のいずれか一方又は双方のねじ締結用リブ１６ｂ・２０ａに、前記止めねじ１８を螺合するナット１９の嵌め込み穴を凹設し、該嵌め込み穴を、前記ナット１９に合わせて、前記止めねじ１８と共回りしない回り止め穴形状としてなることを特徴とする。
【考案の効果】
【０００９】
請求項１に記載の考案によれば、（１）物掛けパイプの架設高さ位置を変えるときは、止めねじの捩じ込みを緩めて継手本体のパイプ挟持部とパイプ押えの支柱用パイプに対する締め付けを弱め、パイプジョイント金具を支柱用パイプに沿ってスライド可能にしてから、物掛けパイプを左右のパイプジョイント金具と一体に上昇させて高さ調整し、所望の架設高さ位置に合わせてから、改めて、止めねじを固く捩じ込んでパイプジョイント金具を支柱用パイプに締結すればよく、物掛けパイプの架設高さを面倒なく簡単に調整することができる。従って、この架設高さ調整のために、従来の如くパイプジョイント金具のパイプ部にジョイントボルトのねじ穴を螺刻するような面倒な加工を一切必要とせず、パイプジョイント金具を、例えばアルミダイキャスト金型成形法などによって手間なく容易に加工することができる。更に、（２）例えばパイプ式衣類掛けなどから、必要に応じて、物掛けパイプを取り外すときは、パイプキャップを、パイプ受け部との凹凸の係わり合いを解いてパイプ受け部から外すだけでよく、それだけで物掛けパイプを手間なく極めて簡単に取り外すことができる。
【００１０】
請求項２に記載の考案によれば、止めねじを捩じ込んで継手本体のパイプ挟持部とパイプ押えとで支柱用パイプを固く締め付けたとき、パイプ挟持部とパイプ押え間で滑り止めパットを挟圧して支柱用パイプを締め付けることから、そのときに、滑り止めパット側が有する弾性反発力によって支柱用パイプ側の外周面との間に強い摩擦接合力が発生し、この摩擦接合力によってパイプジョイント金具を支柱用パイプからズレ落ちないように確実に保持することができる。
【００１１】
請求項３に記載の考案によれば、止めねじをナットに捩じ込んでパイプ挟持部とパイプ押えで支柱用パイプを締め付けるとき、ナットは回り止め穴の嵌め込み穴に嵌め込んでいるので、止めねじをねじ回しても、ナットは止めねじと共回りせず、止めねじをナットに手間なく簡単に且つ確実に捩じ込むことができる。
【考案を実施するための最良の形態】
【００１２】
以下、図面を参照しつつ、本考案の最良の実施形態について詳細に説明する。
【００１３】
図６には、本考案の一例のパイプジョイント金具を適用したパイプ式衣類掛けを示す。パイプ式衣類掛けは、図中左右に所定間隔をあけて床Ｆと天井Ｔ間に一対の支柱用パイプ１０を立設し、支柱用パイプ１０に本考案に係るパイプジョイント金具Ｊで物掛けパイプ１１の両端を連結して支柱用パイプ１０間に物掛けパイプ１１を所望の架設高さ位置に調整可能に横架し、物掛けパイプ１１にハンガーｈを掛けて衣服Ｃを吊り下げる構造になっている。
【００１４】
本考案のパイプジョイント金具Ｊは、図１に示すように、それぞれアルミダイキャスト金型成形してなる、継手本体１５と、パイプ押え２０と、パイプキャップ２５を備え、これらで全体にＴ型パイプ状に組み立てられる。
【００１５】
継手本体１５は、図２でも示すように、丸パイプを縦に２つ割りした一方の側で断面半円状をなすパイプ挟持部１６と、パイプ挟持部１６の外周凸面１６ａから直交する向きに伸びて丸パイプを横に２つ割りした一方の側の断面半円状をなすパイプ受け部１７とからなる。
【００１６】
パイプ挟持部１６は、円周方向の両側縁に一対のねじ締結用リブ１６ｂを突設している。ねじ締結用リブ１６ｂには、パイプ受け部１７と平行にねじ挿通穴１６ｃを穿設する一方、パイプ受け部１７側の端面に、止めねじ１８を螺合する六角ナット１９の嵌め込み穴１６ｄを凹設し、この嵌め込み穴１６ｄを，ナット１９の形状に合わせて六角穴状に形成し、即ち、止めねじ１８と共回りしない異形な回り止め穴形状としてなる。
【００１７】
パイプ受け部１７は、円周方向の両側縁の細長い端面１７ａに、それぞれ長さ方向に沿って係合凸部１７ｂを設けてなる。係合凸部１７ｂは、端面１７ａから互いに外向きに断面Ｌ状に延びるように突設している。
【００１８】
パイプ押え２０は、図３でも示すように、丸パイプを縦に２つ割りした他方の側の断面円弧状の管片で、その円周方向両側縁に、パイプ挟持部１６のねじ締結用リブ１６ｂと対応する一対のねじ締結用リブ２０ａを設けて、継手本体１５のパイプ挟持部１６と対をなしている。図示例のねじ締結用リブ２０ａには、パイプ挟持部１６のねじ挿通穴１６ｃと対応する向きにねじ挿通穴２０ｂを穿設している。
【００１９】
パイプキャップ２５は、図４でも示すように、丸パイプを横に２つ割りした他方の側の断面円弧状の管片で、継手本体１５のパイプ受け部１７と対をなしている。パイプキャップ２５は、内周凹面２５ａの円周方向の両側縁近くに、それぞれ長さ方向に沿って細長い係合溝２５ｂを凹設してなる。
【００２０】
なお、パイプジョイント金具Ｊにおいて、図１に示すように、継手本体１５のパイプ挟持部１６およびパイプ押え２０の各内周凹面１６ｅ・２０ｃには、それぞれ弾性を有する樹脂製で、やや厚肉なシート状をなす滑り止めパット３０・３１を貼着している。滑り止めパット３０・３１の素材は、樹脂製に限らず、弾性を有する、例えばゴム製等であってもよい。
【００２１】
そこで、以上の部品構成のパイプジョイント金具Ｊは、互いのねじ締結用リブ１６ｂ・２０ａを突き合せた状態でねじ挿通穴１６ｃ・２０ｂに止めねじ１８を通してナット１９に捩じ込んで、継手本体１５のパイプ挟持部１６とパイプ押え２０とを止めねじ１８で締め緩め自在に螺着する一方、パイプ受け部１７の係合凸部１７ｂを係合溝２５ｂに係合してから、パイプキャップ２５をスライドさせてパイプ受け部１７に凹凸の係り合いで係脱自在に冠着して組み立てられるようになっている。
【００２２】
さて、パイプジョイント金具Ｊを用いて、図６に示すように、パイプ式衣類掛けを構築する場合は、パイプジョイント金具Ｊよりパイプ口径の僅かに小さい一対の支柱用パイプ１０を用い、左右に所定間隔をあけて支柱用パイプ１０を平行に床Ｆと天井Ｔ間に立て、上下両端に固着したソケット３３を介して床Ｆと天井Ｔにねじ止めする。
【００２３】
次いで、左右の支柱用パイプ１０を、図１に示すように、それぞれパイプジョイント金具Ｊの継手本体１５とパイプ押え２０とで挟んで締着する。即ち、継手本体１５のパイプ挟持部１６とパイプ押え２０とで支柱用パイプ１０を挟んで、図１に示すように、互いのねじ締結用リブ１６ｂ・２０ａを突き合わせた状態でねじ挿通穴１６ｃ・２０ｂに止めねじ１８を通してナット１９に捩じ込んで、パイプ押え２０と継手本体１５を螺着して一体の継手組立体３５を形成する。このとき、止めねじ１８のナット１９に対する捩じ込みを緩めにし、継手組立体３５を、支柱用パイプ１０に対し高さ方向にスライド移動できるように仮締めして支柱用パイプ１０に装着する。それから、継手組立体３５を、支柱用パイプ１０に沿ってスライドさせながら高さ調整し、物掛けパイプ１１の架設高さ位置に合わせてから、止めねじ１８をナット１９に固く捩じ込んで継手組立体３５を支柱用パイプ１０に本締めする。そして、パイプ挟持部１６とパイプ押え２０とで滑り止めパット３０・３１を挟圧した状態で支柱用パイプ１０を固く締め付ける。
【００２４】
パイプジョイント金具Ｊでは、止めねじ１８をナット１９に捩じ込んでパイプ挟持部１６とパイプ押え２０で支柱用パイプ１０を締め付けるとき、ナット１９は回り止め穴の嵌め込み穴１６ｄに嵌め込んでいるので、止めねじ１８をねじ回しても、ナット１９は止めねじ１８と共回りしないため、止めねじ１８をナット１９に手間なく簡単に且つ確実に捩じ込むことができる。また、パイプジョイント金具Ｊでは、止めねじ１８をナット１９に捩じ込んで継手組立体３５のパイプ挟持部１６とパイプ押え２０とで支柱用パイプ１０を固く締め付けたとき、パイプ挟持部１６とパイプ押え２０間で滑り止めパット３０・３１を挟圧して支柱用パイプ１０を締め付けることから、そのときに、滑り止めパット３０・３１側が有する弾性反発力によって支柱用パイプ１０側の外周面との間に強い摩擦接合力が発生し、この摩擦接合力によって継手組立体３５を支柱用パイプ１０からズレ落ちないように確実に保持することができる。
【００２５】
こうして左右同一の継手組立体３５を、互いのパイプ受け部１７を向かい合せで支柱用パイプ１０の所望高さ位置に固着してから、図５（Ａ）に示すように、物掛けパイプ１１の両端をパイプ受け部１７に嵌合させてから、図５（Ｂ）・（Ｃ）に順に示すように、パイプキャップ２５を、左右の継手組立体３５のパイプ受け部１７にそれぞれ冠着して物掛けパイプ１１を支柱用パイプ１０に連結する。このとき、パイプキャップ２５は、係合溝２５ｂにパイプ受け部１７の係合凸部１７ｂを係合させてスライドし、係合溝２５ｂと係合凸部１７ｂの凹凸の係り合いで係脱自在に左右のパイプ受け部１７にそれぞれ冠着し、物掛けパイプ１１を支柱用パイプ１０に連結して支柱用パイプ１０間に横架し、図６に示すようにＨ型にパイプ式衣類掛けを構築する。そして、衣類掛けの使用時は、物掛けパイプ１１に、例えばハンガーｈを掛けて衣服Ｃを吊り下げる。
【００２６】
そこで、図示衣類掛けにおいて、物掛けパイプ１１に、例えば丈の長いコート類を吊り下げるために物掛けパイプ１１の架設高さ位置を変えるときは、図１に示す止めねじ１８のナット１９に対する捩じ込みを緩めて継手本体１５のパイプ挟持部１６とパイプ押え２０の支柱用パイプ１０に対する締め付けを弱め、パイプジョイント金具Ｊを支柱用パイプ１０に沿ってスライド可能にする。それから、物掛けパイプ１１を左右のパイプジョイント金具Ｊと一体に上昇させて高さ調整し、上方の所定架設高さ位置に合わせてから、改めて、止めねじ１８をナット１９に対し固く締めてパイプジョイント金具Ｊを支柱用パイプ１０に締結するだけでよい。
【００２７】
従って、本考案では、図示例に代えて、例えば図７に示すように、同じパイプジョイント金具Ｊを用いて、等間隔に３本立設した支柱パイプ１０間に、それぞれ２本の物掛けパイプ１１を架設高さ調整可能に横架してパイプ多段式の衣類掛けを構築することもできる。図示他例では、物掛けパイプ１１に掛けて吊り下げる衣類の丈に応じて、物掛けパイプ１１の架設高さを変えるときは、止めねじ１８のナット１９に対する捩じ込みを緩めてパイプ挟持部１６とパイプ押え２０の支柱用パイプ１０に対する締め付けを弱めてから、パイプジョイント金具Ｊを支柱用パイプ１０に装着した状態のまま、物掛けパイプ１１を持って、図中矢示するように、左右のパイプジョイント金具Ｊを上下にスライドさせて高さ調整するだけでよい。
【００２８】
ところで、上述したパイプジョイント金具Ｊでは、図示パイプ式衣類掛けから、必要に応じ、物掛けパイプ１１を取り外すときは、図５を参照すれば判るように、パイプキャップ２５を、図５（Ｂ）に示す向きと逆向きに係合凸部１７ｂに沿ってスライドし、係合凸部１７ｂと係合溝２５ｂとの凹凸の係わり合いを解いて、パイプキャップ２５を左右の継手組立体３５のパイプ受け部１７から外すだけでよく、それだけで物掛けパイプ１１を手間なく極めて簡単に取り外すことができる。
【００２９】
なお、以上の図示パイプジョイント金具Ｊでは、継手本体１５のパイプ挟持部１６、パイプ受け部１７、パイプ押え２０、パイプキャップ２５がいずれも断面半円形状であったが、本考案では、パイプを縦又は横に２つ割りした管部又は管片であれば、断面半円形状に限らず、断面円弧状であってもよいのは、勿論である。また、パイプを縦又は横に２つ割りした管部又は管片であれば、丸パイプに限らず、断面矩形な角パイプなど各種断面形状のパイプ材を用いて形成することもできる。
【図面の簡単な説明】
【００３０】
【図１】本考案の一例であるパイプジョイント金具の分解斜視図である。
【図２】パイプジョイント金具の継手本体を示す斜視図である。
【図３】パイプジョイント金具のパイプ押えを示す斜視図である。
【図４】パイプジョイント金具のパイプキャップを示す斜視図である。
【図５】物掛けパイプを支柱パイプにパイプジョイント金具で連結する状態を段階的に示す斜視図である。
【図６】パイプジョイント金具を用いて構築したパイプ式衣類掛けの使用状態を示す斜視図である。
【図７】パイプ多段式の衣類掛けにおいて、各段の物掛けパイプの架設高さ調整状態を示す正面図である。
【図８】従来のパイプジョイント金具を用いて構築したパイプ式衣類掛けを示す斜視図である。
【符号の説明】
【００３１】
Ｊ              パイプジョイント金具
１０            支柱パイプ
１１            物掛けパイプ
１５            継手本体
１６            パイプ挟持部
１６ａ          外周凸面
１６ｂ・２０ａ  ねじ締結用リブ
１６ｄ          嵌め込み穴
１６ｅ・２０ｃ  内周凹面
１７            パイプ受け部
１７ｂ          係合凸部
１８            止めねじ
１９            ナット
２０            パイプ押え
２５            パイプキャップ
２５ｂ          係合溝
３０・３１      滑り止めパット
【図１】
0003139780.tif 000003
【図２】
0003139780.tif 000004
【図３】
0003139780.tif 000005
【図４】
0003139780.tif 000006
【図５】
0003139780.tif 000007
【図６】
0003139780.tif 000008
【図７】
0003139780.tif 000009
【図８】
0003139780.tif 000010